(57)【特許請求の範囲】
【請求項１】
放熱器を循環する循環液を加熱する熱源機と、該熱源機により加熱された循環液を放熱器に送ると共に放熱器から戻ってきた循環液を熱源機に戻す循環ポンプユニットとを備えた温水暖房装置に於いて、前記循環ポンプユニットは筐体内に、熱源機に接続されて熱源機により加熱された循環液が流入する接続口と熱源機に接続されない接続口とを備えた熱源側往きヘッダーと、該熱源側往きヘッダーに流入した循環液が流入するシスターンタンクと、該シスターンタンク内の循環液を放熱器に送る循環ポンプと、熱源機に接続されて放熱器により戻ってきた循環液を熱源機に戻す接続口と熱源機に接続されない接続口とを備えた熱源側戻りヘッダーとを有し、前記筐体の底面を構成するベースにベース支えを立設し、このベース支え上部にシスタンベースを固定し、更にこのシスタンベースから取付板を立設し、前記シスタンタンク側面にはシスタン固定金具を溶接し、この固定金具と取付板をネジ止めし、シスタンタンクはシスタンベースの上方に位置しシスタンタンクとシスタンベースの間には、片側底面に防振ゴムを備え、他端側を前記取付板にネジ止めした水槽トレーを設け、この水槽トレー上にクッション材を介してシスタンタンクを設けたことを特徴とする温水暖房装置。
【発明の詳細な説明】
【技術分野】
【０００１】
この発明は、熱源機により加熱された循環液を暖房機が接続された暖房回路に循環させて暖房を行う温水暖房装置に関するものである。
【背景技術】
【０００２】
従来からこの種のものに於いては、室外機内に熱源機と熱交換器を内蔵し、該熱交換器の流入側に接続されている流入バルブと、熱交換器の流出側に接続されている流出バルブと、熱源機で加熱されて流出バルブを通過した熱流体を循環させる循環ポンプと、該循環ポンプの流入側に設けた安全弁とを内蔵していた。
【０００３】
また膨張タンクを有し、循環ポンプにより強制的に暖房水を循環する構成とするとともに、前記ポンプの吐出側と熱交換器の接続をゴムパイプにて行ない前記ポンプを金具にて、防振ゴムをはさみベースと固定する構成とし、前記ポンプの吸込口と前記膨張タンクの接続をゴムパイプにて給湯暖房機のポンプの防振が行われていた。（例えば、特許文献１）
【０００４】
また循環ポンプのから伝わる振動を防振ゴムやゴムパイプを使用することで配管を通じてタンクや周囲へ伝わること防止していた。
【先行技術文献】
【特許文献】
【０００５】
【特許文献１】特開昭６０−１８６６２９号公報
【発明の概要】
【発明が解決しようとする課題】
【０００６】
ところでこの従来のものでは、循環ポンプから膨張タンクに伝わった振動によってタンクから２次的な振動やこの振動による騒音が発生することがあり、更なる防振、騒音の対策が必要なものであった。
【課題を解決するための手段】
【０００７】
この発明はこの点に着目し上記課題を解決する為、特にその構成を、放熱器を循環する循環液を加熱する熱源機と、該熱源機により加熱された循環液を放熱器に送ると共に放熱器から戻ってきた循環液を熱源機に戻す循環ポンプユニットとを備えた温水暖房装置に於いて、前記循環ポンプユニットは筐体内に、熱源機に接続されて熱源機により加熱された循環液が流入する接続口と熱源機に接続されない接続口とを備えた熱源側往きヘッダーと、該熱源側往きヘッダーに流入した循環液が流入するシスターンタンクと、該シスターンタンク内の循環液を放熱器に送る循環ポンプと、熱源機に接続されて放熱器により戻ってきた循環液を熱源機に戻す接続口と熱源機に接続されない接続口とを備えた熱源側戻りヘッダーとを有し、前記筐体の底面を構成するベースにベース支えを立設し、このベース支え上部にシスタンベースを固定し、更にこのシスタンベースから取付板を立設し、前記シスタンタンク側面にはシスタン固定金具を溶接し、この固定金具と取付板をネジ止めし、シスタンタンクはシスタンベースの上方に位置しシスタンタンクとシスタンベースの間には、片側底面に防振ゴムを備え、他端側を前記取付板にネジ止めした水槽トレーを設け、この水槽トレー上にクッション材を介してシスタンタンクを設けたものである。
【発明の効果】
【０００８】
この発明によれば、筐体の底面を構成するベースにベース支えを立設し、このベース支え上部にシスタンベースを固定し、更にこのシスタンベースから取付板を立設し、前記シスタンタンク側面にはシスタン固定金具を溶接し、この固定金具と取付板をネジ止めし、シスタンタンクはシスタンベースの上方に位置しシスタンタンクとシスタンベースの間には、片側底面に防振ゴムを備え、他端側を前記取付板にネジ止めした水槽トレーを設け、この水槽トレー上にクッション材を介してシスタンタンクを設けたので、シスタンタンクと水槽トレーの側面の一方向のみがネジ止めされ他方向は防振ゴムとクッション材によって２重に振動を吸収するので、シスタンタンクから発生する振動や騒音を更に小さくすることができるものである。
【図面の簡単な説明】
【０００９】
【図１】この発明の一実施形態を示す暖房装置の概略図。
【図２】同前側の筐体側板を外した状態の循環ポンプユニット正面図。
【図３】同要部分解斜視図。
【発明を実施するための形態】
【００１０】
次に、本発明に係る発明の一実施形態を図面に基づいて説明する。
１は熱源機で、冷媒を圧縮する圧縮機２と高温冷媒の熱で循環液を加熱するための冷媒水熱交換器３と高圧冷媒を減圧する減圧器４と低温低圧冷媒を蒸発させる蒸発器としての空気熱交換器５とが環状に接続されたヒートポンプサイクル６と、圧縮機２からの吐出冷媒の温度を検出する冷媒温度センサ７と、空気熱交換器５に熱源となる空気を供給するための送風手段８とを有しているものである。
【００１１】
９は循環ポンプユニットで、熱源側往きヘッダー１０と、該熱源側往きヘッダー１０の下流側に接続されたシスターンタンク１１と、該シスターンタンク１１の下流側に接続された循環ポンプ１２と、熱源側戻りヘッダー１３とを備えたものである。
【００１２】
前記熱源側往きヘッダー１０は、開閉バルブ１４を有する接続口１５を複数備えると共に、各熱源機１の冷媒水熱交換器３により加熱された循環液が流入する各接続口１５からの循環液を合流する合流口１６を有し、熱源機１の冷媒水熱交換器３と接続口１５との間に通電及び非通電により開閉する熱動弁１７を設け、合流口１６には循環液の気液分離を行うシスターンタンク１１が接続され、該シスターンタンク１１の下流側に循環ポンプ１２が接続されているものである。
【００１３】
又前記熱源側戻りヘッダー１３は、開閉バルブ１４を有する接続口１５を複数備えると共に、放熱して温度の低下した循環液が流入する合流口１６と、該合流口１６に流入した循環液を各熱源機１の冷媒水熱交換器３に戻す開閉バルブ１４を有する接続口１５を複数備えたものである。
【００１４】
又前記熱源側往きヘッダー１０及び熱源側戻りヘッダー１３は、接続口１５の数を設置される熱源機１の台数より少なくとも１つ多く備えたものである。
【００１５】
１８はヘッダーボックスで、負荷側往きヘッダー１９及び負荷側戻りヘッダー２０を備え、前記負荷側往きヘッダー１９は、循環ポンプユニット９の循環ポンプ１２からの高温の循環液が流入する合流口２１と、その流入した高温の循環液を各放熱器２３に送る接続口２２を複数備えたものである。
又負荷側戻りヘッダー２０は、各放熱器２３から放熱して温度の低下した循環液が流入する接続口２２を複数備えると共に、各接続口２２に流入した循環液を合流させて循環ポンプユニット９の熱源側戻りヘッダー１３の合流口１６に戻す合流口２１を備えたものである。
【００１６】
２４は前記循環ポンプユニット９の筐体で、底面のベース２５、右側板２６、左側板２７、背面板２８、前面板（図示せず）で６面を構成している。前記ベース２５上の左奥には前記循環ポンプ１２をポンプ取付板２９にて取り付けられ、ベース２５の略中央右より前後方向にベース支え３０がネジ止めされ、このベース支え３０の上部には水平にシスタンベース３１が固定されている。
【００１７】
３２は前記シスタンベース３１の前面側にネジ止め固定された平面コの字型の取付板で、この取付板３２前方の上部には前記熱源側往きヘッダー１０を、前方下部には前記熱源側戻りヘッダー１３が固定されている。
【００１８】
３３は前記シスタンタンク１１側面の高さ方向の略中央にスポット溶接にて固定されたシスタン固定金具が設けられ、この固定金具３３の前面側を前記取付板３２にネジ止めすることでシスタンタンク１１の前面側を固定している。
【００１９】
３４は前記シスタンタンク１１とシスタンベース３１の間に設けられた水槽トレーで、前方側を前記取付板３２にネジ止め固定され、背面側の端部と前記シスタンベース３１の間には防振ゴム３５が設けられている。
【００２０】
３６は前記シスタンタンク１１と水槽トレー３４の間に設けられたゴム製のクッション材で、シスタンタンク１１底面の前後左右を支える位置に、前記水槽トレー３４に４個接着剤で貼り付けられている。
【００２１】
３７は前記シスタンタンク１１の上面に取り付けられた逃がし弁で、シスタンタンク１１内が高圧になる事を防止する。３８はシスタンタンク１１の側面に埋め込まれた水位センサで、シスタンタンク１１内の水位の管理に使用する。３９はシスタン接続管で、一方の端部をシスタンタンク１１側面に接続し、他方側の端部を前記熱源側戻りヘッダー１３に接続している。４０はポンプ入口管で、一方の端部をシスタンタンク１１の底面に接続し、他方の端部を循環ポンプ１２の入口側に接続している。４１はポンプ出口管で、循環ポンプ１２の吐出口に接続している。
【００２２】
次に図１によりこの温水暖房装置の暖房運転について説明する。
リモコン等の運転スイッチ（図示せず）をオンすると、各熱源機１のヒートポンプサイクル６が動作し、ヒートポンプサイクル６内の冷媒を加熱する。
それと同時に、循環ポンプユニット９の熱動弁１７を非通電状態から通電状態にして閉鎖状態から開放状態にすると共に、循環ポンプユニット９の循環ポンプ１２を動作させるものである。
【００２３】
それにより、熱源機１のヒートポンプサイクル６で加熱された冷媒と、低温の循環液が熱源機１の冷媒水熱交換器３にて熱交換を行い、それにより加熱された循環液は熱源機１の冷媒水熱交換器３から循環ポンプユニット９の熱源側往きヘッダー１０の接続口１５に流入し、合流した循環液は熱源側往きヘッダー１０の合流口１６からシスターンタンク１１に流入し、更に循環ポンプ１２を通過してヘッダーボックス１８の負荷側往きヘッダー１９の合流口２１に流入する。
【００２４】
ヘッダーボックス１８の負荷側往きヘッダー１９の合流口２１に流入した高温の循環液は、負荷側往きヘッダー１９の各接続口２２から各放熱器２３に流入して暖房を行い、放熱して温度の低下した循環液は、負荷側戻りヘッダー２０の各接続口２２に流入して合流し、負荷側戻りヘッダー２０の合流口２１から熱源側戻りヘッダー１３の合流口１６に戻り、更に熱源側戻りヘッダー１３の各接続口１５から各熱源機１の冷媒水熱交換器３に戻って再度加熱されるものである。
【００２５】
次に図２〜３によってシスタンタンク１１の振動、騒音の防止構造について説明する。
循環ポンプ１２で発生した振動はポンプ入口管４０からシスタンタンク１１に伝達する、シスタンタンク１１と水槽トレー３４の前方は共に取付板３２にネジ止めされている、シスタンタンク１１と水槽トレー３４の間はゴム製のクッション材３６のみで固定されていないのでシスタンタンク１１の振動を吸収する。そして水槽トレー３４の後方は防振ゴム３５を介してシスタンベース３１の上に固定されていないので、更に振動を吸収して防振、防音を行うものである。
【００２６】
このように、シスタンタンク１１と水槽トレー３４の側面の一方向のみがネジ止めされ他方向は防振ゴム３５とクッション材３６によって２重に振動を吸収するので、シスタンタンク１１から２次的に発生する振動や騒音を更に小さくすることができるものである。
また、防振ゴム３５については、横幅の大きな水槽トレー３４の後方左右端のみの２カ所のであるので、コストを抑えることができ、効果的な防振を行うことができるものである。
【符号の説明】
【００２７】
１  熱源機
９  循環ポンプユニット
１１  シスターンタンク
１２  循環ポンプ
２３  放熱器
３１  シスタンベース
３２  取付板
３３  シスタン固定金具
３４  水槽トレー
３５  防振ゴム
３６  クッション材
【図１】
0005571607.tif 000002
【図２】
0005571607.tif 000003
【図３】
0005571607.tif 000004